(57)【要約】【課題】簡単な構造で簡単にソケットを交換できる同時に、照明角度を任意に調整でき、かつ防水機能を強化することができる直管蛍光灯照明装置を提供する。【解決手段】冷陰極単管又は複数の発光素子からなる光源部が長手方向に沿って配置された基板２４と、該基板を挿入して支持する管形状の管状部１８と、各口金部を挟着し、着脱可能に管状部の両端にそれぞれ固着された２つの結合部材２０と、結合部材から延出した口金部の円筒部に外嵌されたシール部材２２と、シール部材を結合部材に押圧する環状のシール押圧部材１４とを有し、結合部材と口金部の間からの水の浸入を防止する。また、ソケットは、有底かつ断面Ｄ形状の筒形ケース内に設けられ、かつ円弧上に所定間隔毎に設けられた断面円弧形の複数の凹部４１と、外周面に凸部４４を有し、該凸部を前記凹部に嵌合させて前記ケース内に回転可能に配置される端子係止部５３とを有する。【選択図】図２
2013232334.tif 000002
【特許請求の範囲】
【請求項１】
照明灯具のソケット差込部に嵌め入れる端子と該端子が貫通した底部に立設されてなる円筒部を有する２つの口金部（１２）を長手方向の両端にそれぞれ備える直管蛍光灯照明装置であって、
冷陰極単管又は複数の発光素子からなる光源部が前記長手方向に沿って配置された基板（２４）と、
前記基板を挿入して支持する管形状の管状部（１８）と、
前記各口金部を挟着し、着脱可能に前記管状部の両端にそれぞれ固着された２つの結合部材（２０）と、
前記結合部材から延出した前記口金部の円筒部に外嵌されたシール部材（２２）と、
前記シール部材を前記結合部材に押圧する環状のシール押圧部材（１４）と
を有し、前記結合部材と前記口金部の間からの水の浸入を防止することを特徴とする直管蛍光灯照明装置。
【請求項２】
前記結合部材は外周に複数の凹部と複数の凸部からなる凹凸部を有し、該凹凸部に前記長手方向に向かって時計回り又は反時計回りに回転する力を与えることによって前記基板の向きを調整することを特徴とする請求項１記載の直管蛍光灯照明装置。
【請求項３】
前記長手方向に直交する向きに弾性力が生じる弾性構造を有し、前記基板に固着された係止部（２６）と、
前記口金部の円筒部内に設けられた複数の凹部を有する係止受部（２８）と
を有し、前記係止部と前記係止受部が係合して前記基板の回転を係止することを特徴とする請求項１又は２記載の直管蛍光灯照明装置。
【請求項４】
前記結合部材はその外周にネジ部を有し、前記シール押圧部材はその内面に前記ネジと螺合するネジを有し、前記結合部材から延出した前記口金部の円筒部にシール部材が外嵌された状態で前記結合部材と前記シール押圧部材が螺着されてなることを特徴とする請求項１ないし３のいずれか１項記載の直管蛍光灯照明装置。
【請求項５】
前記結合部材の凹凸部に回転力を付与する駆動源を有し、該駆動源によって付与された駆動力により前記結合部材を回転させ、該結合部材に連接した前記基板の向きを調整することを特徴とする請求項２ないし４のいずれか１項記載の直管蛍光灯照明装置。 
【請求項６】
有底かつ断面Ｄ形状の筒形ケース内に設けられ、かつ円弧状の内面に所定間隔毎に設けられた複数の凹部（５５ａ）を有するガイド部材（５５）と、
外周面に凸部（４５）を有し、前記ガイド部材の内面に該凸部を当接して回転可能に配置され、かつ直管蛍光灯の端子を係止する端子係止部（５３）と、
前記端子係止部に押圧され前記直管蛍光灯に付勢力を与えるスプリング（４９）と
を有することを特徴とするソケット。
【請求項７】
２つのピン端子（４３）が前記筒形ケースの側面に固着された電源接続部内で外側に向かって立設され、交換時に外部の導線と容易に接続できることを特徴とする請求項６記載のソケット。
【請求項８】
前記筒形ケースの側面に外付けの防水又は落下防止のための装置を取り付つける複数の外付け固定フォーク部（４２）を有することを特徴とする請求項６又は７記載のソケット。
【請求項９】
請求項１ないし７のいずれか１項記載の直管蛍光灯照明装置が請求項６ないし８のいずれか１項記載のソケットを有することを特徴とする直管蛍光灯照明装置。
【発明の詳細な説明】
【技術分野】
【０００１】
本発明は、照明角度を回転可能、かつ防水機能を強化した直管蛍光灯照明装置に関する。
【背景技術】
【０００２】
近年、熱陰極蛍光灯（Hot  Cathode  Fluorescent  Lamp−HCPL）は消費電力が高く経年寿命が短いので、省エネの代替光源として冷陰極蛍光灯（Cold  Cathode  Fluorescent  Lamp−CCFL）やＬＥＤ直管蛍光灯が開発されている。しかしながら、これらの代替光源では基板に発光部が設置されていて、発光に方向性が生じるため、富士型照明灯具に取り付ける場合、通常、直下から離れたところの集中照度が高くなる。この解決のために、照明角度を回転することによって照明方向を変更できる直管蛍光灯が開発されている（例えば、特許文献１及び２参照）。また、回転できるソケットも開発されている（特許文献３参照）。
【先行技術文献】
【特許文献】
【０００３】
【特許文献１】特開２０１２−９３７７号公報
【特許文献２】特開２０１０−２５７７６９号公報
【特許文献３】特開２０１２−０４３５９５号公報
【発明の概要】
【発明が解決しようとする課題】
【０００４】
しかしながら、特許文献１及び２のようなＬＥＤ直管蛍光灯技術にあっては、口金部分の密封性に対策がされていないため、室外の環境に設置する場合、回転軸部と回転支持部の間に水が浸入し、灯具の結露を引き起こすおそれがある。
【０００５】
また、特許３のような回転ソケットにおいては、回転した位置で装着することはできて、両端のソケットの差込ピンは常に同じ方向に限らないおそれがある。
【０００６】
本発明は、上記課題を解決するためになされたものであり、本発明の目的は、簡単な構造で照明角度を任意に調整でき、かつ防水機能を強化することができる直管蛍光灯照明装置を提供することにある。
【課題を解決するための手段】
【０００７】
上記目的を達成するため、本発明に係る直管蛍光灯照明装置は、照明灯具のソケット差込部に嵌め入れる端子と該端子が貫通した底部に立設されてなる円筒部を有する２つの口金部（１２）を長手方向の両端にそれぞれ備える直管蛍光灯照明装置であって、冷陰極単管又は複数の発光素子からなる光源部が前記長手方向に沿って配置された基板（２４）と、前記基板を挿入して支持する管形状の管状部（１８）と、前記各口金部を挟着し、着脱可能に前記管状部の両端にそれぞれ固着された２つの結合部材（２０）と、前記結合部材から延出した前記口金部の円筒部に外嵌されたシール部材（２２）と、前記シール部材を前記結合部材に押圧する環状のシール押圧部材（１４）とを有し、前記結合部材と前記口金部の間からの水の浸入を防止することを特徴とする。
【０００８】
本発明の直管蛍光灯照明装置は、その内部に長手方向に基板を支持した管形状の管状部の両端に口金部が挿入されて環状の結合部材が着脱可能に固着されて、該口金部の円筒部にシール部材が外嵌された状態でシール押圧部材によって押圧されるので、結合部材と口金部の間から水が内部に浸入するのが防止される。
【０００９】
上記態様では、前記結合部材は外周に複数の凹部と複数の凸部からなる凹凸部を有し、該凹凸部に前記長手方向に向かって時計又は反時計回りに回転する力を与えることによって前記基板の向きを調整するのが好ましい。
この構成によると、結合部材は外周に凹凸部を有するので回転力を付与すると回転力伝達部材と該凹凸部の間に生じる摩擦力により効率的に回転力が付与される。このことによって基板が時計又は反時計回りに回転し、その向きを調整できる。
【００１０】
上記態様では、前記長手方向に直交する向きに弾性力が生じる弾性構造を有し、前記基板に固着された係止部（２６）と、前記口金部の円筒部内に設けられた複数の凹部を有する係止受部（２８）とを有し、前記係止部と前記係止受部が係合して前記基板の回転を係止するのがより好ましい。
この構成によると、係止部が長手方向に直交する向きに弾性力が生じるように基板に取り付けられ、該係止部は、口金部の円筒部内に設けられた係止受部と係合して停止するので、基板の向きが一定角度毎に調整できる。
【００１１】
上記態様では、前記結合部材はその外周にネジを有し、前記シール押圧部材はその内面に前記ネジと螺合するネジ部を有し、前記結合部材から延出した前記口金部の円筒部にシール部材が外嵌された状態で前記結合部材と前記シール押圧部材が螺着されてなるのが好ましい。このことによって、シール部材が前記口金部の円筒部に外嵌された状態で圧縮されて、結合部材、シール押圧部材及び口金部の外周面に押圧されるので、結合部材と口金部の間から水が内部に浸入するのが防止される。
【００１２】
また、上記態様では、前記結合部材の凹凸部に回転力を付与する駆動源を有し、該駆動源によって付与された駆動力により前記結合部材を回転させ、該結合部材に連接した前記基板の向きを調整するのが好ましい。このことによって、駆動源の駆動力によって基板の向きを自動調整することが可能になる。
【００１３】
本発明に係る直管蛍光灯照明装置は、直管蛍光灯を取り付けるソケットを含む。本発明に係るソケットは、有底かつ断面Ｄ形状の筒形ケース内に設けられ、かつ円弧状の内面に所定間隔毎に設けられた複数の凹部（５５ａ）を有するガイド部材（５５）と、外周面に凸部（４５）を有し、前記ガイド部材の内面に該凸部を当接して回転可能に配置され、かつ直管蛍光灯の端子を係止する端子係止部（５３）と、前記端子係止部に押圧され前記直管蛍光灯に付勢力を与えるスプリング（４９）とを有することを特徴とする。
【００１４】
本発明のソケットでは、直管蛍光灯の回転によって端子係止部が回転すると、その外周面に設けられた凸部がガイド部材の内面を当接しながら回転するので、ガイド部材の内面に円弧状に所定間隔毎に設けられた複数の凹部のいずれかと嵌合したときに回転が止まることによって、回転機能を持たない直管蛍光灯においても、その向きを所定角度に調整できる。また、スプリングが直管蛍光灯に付勢力を与えるので、直管蛍光灯は直管蛍光灯照明装置に適度に装着され、震動などによって外れることが防止できる。
【００１５】
上記態様では、２つのピン端子（４３）が前記筒形ケースの側面に固着された電源接続部（４０）内で外側に向かって立設され、交換時に外部の導線と容易に接続できるのが好ましい。この構成によると、２つのピン端子が筒形ケースの側面に外側に向かって立設されているので、交換時に外部の導線と容易に接続できる。
【００１６】
上記態様では、前記筒形ケースの側面に外付けの防水又は落下防止のための装置を取り付つける複数の外付け固定フォーク部（４２）を有するのがより好ましい。
この構成によると、複数の外付け固定フォーク部によって筒形ケースの側面に外付けの防水又は落下防止のための装置を取り付つけることができる。
【００１７】
上記いずれかに記載の直管蛍光灯照明装置は上記いずれかに記載のソケットを有することが好ましい。この構成によると、直管蛍光灯とソケットのいずれについても角度を調整する機能を有するのでより細かい角度調整が可能になる。
【発明の効果】
【００１８】
本発明の直管蛍光灯照明装置によれば、簡単な構造で富士型の照明灯具に取り付けた直管蛍光灯の照明角度を任意に調整でき、かつ防水機能、落下防止を強化することができる。
【図面の簡単な説明】
【００１９】
【図１】実施例１に係る直管蛍光灯照明装置の端部を示す外観斜視図である。
【図２】実施例１に係る直管蛍光灯照明装置の端部の分解斜視図である。
【図３】図１の長手方向の断面を示す図である。
【図４】図３のＡ―Ａ矢視断面図である。実施例１の変形例に係る直管蛍光灯照明装置の係止部の拡大断面図である
【図５】実施例１の変形例の係止部を示す拡大断面図である
【図６】実施例２に係る直管蛍光灯照明装置を示す断面図である。
【図７】実施例３に係るソケットの分解斜視図である。
【図８】実施例３に係るソケットのソケット裏カバーの構造を示す図であり、（ａ）は正面図、（ｂ）は斜視図である。
【図９】実施例３に係るソケットのソケット表カバーの構造を示す図であり、（ａ）は正面図、（ｂ）は斜視図である。
【図１０】実施例３に係るソケットの端子係止部の構造を示す図であり、（ａ）は正面図、（ｂ）は斜視図である。
【発明を実施するための形態】
【００２０】
以下、図に示す実施例により本発明をさらに詳細に説明する。なお、これにより本発明が限定されるものではない。
【実施例】
【００２１】
−実施例１−
図１は、実施例１に係る直管蛍光灯照明装置１０の端部の外観を示す。図１に示すように、直管蛍光灯照明装置１０は、円筒環状の管状部１８の端部が結合部材２０の一端から挿入され、管状部１８と結合部材２０はネジ３４で固定されている。そして、他端から結合部材２０に内挿された口金部１２の円筒部１２ｂの一部が突出している。シール押圧部材１４は、その環を口金部１２の円筒部１２ｂに通した状態で他端側から結合部材２０に取り付けられている。管状部１８は、長手方向に２つに分割できる半管状の第１の管状部１８ａと第２の管状部１８ｂからなる。
【００２２】
図２は、実施例１に係る直管蛍光灯照明装置の端部の分解斜視図である。図２に示すように、冷陰極単管又は複数の発光素子からなる光源部（図示せず）が長手方向に沿って配置された基板２４は、第１の管状部１８ａと第２の管状部１８ｂを組み合わせて環状に構成された管状部１８の内部に、固定溝３７，３８に嵌め込んで取り付けられる。基板２４の端部にはスペーサ３２を挟んで断面菱型を有し、該菱型の対角線方向に弾力性を有する係止部２６が取り付けられる。スペーサ３２の厚さは、係止部２６が管状部１８の長手方向の中心線を中心に回転するように調整される。
【００２３】
口金部１２は、照明灯具のソケット差込部に嵌め入れる端子１２ａと該端子１２ａが貫通した底部（図示せず）に立設されてなる円筒部１２ｂを有し、該円筒部１２ｂの外周には、２つの異径の外周面があり、その境界に段差面１２ｄを有する。そして、段差面１２ｄは、結合部材２０の筒内部にある段差面（図示せず）と当接し、結合部材２０の筒内を口金部１２が貫通しない構造になっている。
【００２４】
結合部材２０は、その外周であって長手方向に複数の凹部と複数の凸部が形成された凹凸部２０ｂと外周面にネジが設けられたネジ部２０ａと管状部１８の端部を挿入させる管状部挿入部２０ｃと、管状部挿入部２０ｃに設けられ着脱可能に管状部１８を固着するためのネジ穴２０ｅとを有する。
【００２５】
シール部材としては、Оリング２２が使用され、その材質は本実施例ではシリコン系ゴムが使用されるが、シリコン系ゴムに限らず適宜選択し得る。
シール押圧部材１４は環状であり、その内周面には結合部材２０の外周面に設けられたネジ部２０ａと螺合するネジ１４ａが形成されている。
【００２６】
次に、図２を参照しながら上記のような構成を有する直管蛍光灯照明装置１０の組み立て方法について説明する。
（１）まず、半管状の第１の管状部１８ａと第２の管状部１８ｂから管状の管状部１８を組み立てる。次いで、冷陰極単管又は複数の発光素子からなる光源部（図示せず）が長手方向に沿って配置された基板２４を管状部１８の内部に設けられた固定溝３７，３８に嵌め込んで取り付ける。さらに、基板２４の端部にスペーサ３２を挟んでから断面菱型で該菱型の対角線方向に弾力性を有する係止部２６をボルトとナット（図示せず）で固定して取り付け、係止部２６が長手方向の中心線上を中心として回転するようにする。
【００２７】
（２）基板２４側（一端）から結合部材２０の筒内に口金部１２を端子１２ａから挿入し、円筒部１２ｂの外周に形成された段差面１２ｄを結合部材２０の筒内部にある段差面（図示せず）に当接させる。
【００２８】
（３）結合部材２０の他端から突出した口金部１２の円筒部１２ｂにОリング２２を外嵌し、次いで、結合部材２０の外周に設けられたネジ部２０ａにシール押圧部材１４のネジ１４ａを螺合し、シール押圧部材１４を螺着すると、口金部１２は結合部材２０にシールされた状態で取り付けられる。
（４）結合部材２０に口金部１２を嵌め込んでから、基板２４が組み込まれた管状部１８の端を結合部材２０の管状部挿入部２０ｃに挿入し、管状部挿入部２０ｃに設けられたネジ穴２０ｅと管状部１８に設けられた穴１８ｅを合わせて、ネジ３４（図１参照）で固定する。
【００２９】
図３は、実施例１に係る直管蛍光灯照明装置１０の端部の長手方向の断面を示す。図３に示すように、口金部１２の円筒部１２ｂの２つの異径の外周面の境界に形成された段差面１２ｄが、結合部材２０の筒内部に形成された段差面２０ｄに当接している。この状態で、口金部１２の円筒部１２ｂの小径部分の一部は結合部材２０から突出しており、該小径の外周面にはОリング２２が装着される。この状態で、結合部材２０とシール押圧部材１４が螺着されるので、口金部１２は結合部材２０にОリング２２によってシールされて取り付けられる。
【００３０】
上記のような構成であるため、直管蛍光灯照明装置１０を室外の環境に設置して雨水が口金部１２と結合部材２０の境界に接触しても口金部１２は結合部材２０にОリング２２によってシールされた状態で取り付けられているので、結合部材と口金部の間から水が内部に浸入するのが防止される。
【００３１】
図４は、図３のＡ―Ａ矢視断面図である。図４に示すように、口金部１２の断面円環形状の径方向に弾性力が生じる断面菱形の弾性構造を有する係止部２６が、スペーサ３２を挟んで基板２４にボルトとナット（図示せず）で固着される。スペーサ３２は、断面菱形の係止部２６が口金部１２と同心をとるためのものである。したがって、該菱形の１の対角線が口金部１２の断面円環形状の径と重なっている。口金部１２の内周面には、断面略半円形状の半円柱部材が各長手方向に複数並んで配列した係止受部２８が設けられている。
係止部２６の菱形の先端は係止端（図示せず）であり、該係止端は係止部２６の弾性力によって付勢され係止受部２８に当接している。
【００３２】
図１及び２に戻って、管状部１８と結合部材２０はネジ３４で固定され、基板２４は固定溝３７，３８に嵌め込んで管状部１８の内部に取り付けられており、係止部２６はスペーサ３２を挟んで基板２４に固着されている。このため、外周に複数の凹部と複数の凸部からなる凹凸部２０ｂに長手方向に向かって時計又は反時計回りに回転する力を与えて結合部材２０を回すと、係止部２６は長手方向に直交する向きに弾性力が生じる弾性構造を有するので、口金部１２の内周面に設けられた係止受部２８に当接した状態で、係止部２６が口金部１２の中心を軸として回転する。一方、口金部１２は、照明灯具のソケット差込部に嵌め入れて固定されているので回転しない。そして、係止部２６の係止端が係止受部の凹部と係合すると最も安定な状態となるため、その状態で基板２４は静止する。
【００３３】
−実施例１の変形例−
図５は、実施例１の変形例に係る係止部２７を示す断面図である。図５に示すように、係止部３７はコイルばね３６ａを有し、断面楕円形の係止端はコイルばね３６ａによって付勢され係止受部（図示せず）に当接する構成である。
その他の構成は、実施例１の直管蛍光灯照明装置１０と同じである。
【００３４】
−実施例２−
図６は、実施例２に係る直管蛍光灯照明装置４０を示す断面図断面図である。図６に示すように、口金部５２の内周面には断面鋸形状の係止受部５８が設けられている。図６は、係止受部５８の鋸形状の凹部に係止部５６の係止端（図示せず）が係合した安定な状態を示す。係止端には係止受部５８方向に弾性力が付勢されているので、この安定な状態で、基板５４は静止し、その向きが固定される。
【００３５】
基板５４の向きを変える場合には、図６において反時計回りに基板５４を回転すると、係止部５６も、係止端を係止受部５８の鋸形状に当接させながら回転する。所定の向きで基板５４の回転を止めると、その近くの最も安定な位置で基板５４は静止し、その向きが固定される。その他の構成は、実施例１の直管蛍光灯照明装置１０と同じである。
なお、本実施例の直管蛍光灯照明装置４０では実施例１の場合と違って、基板５４の向きは図６の紙上で反時計回りに基板５４を回転する場合に限られ、係止受部５８の鋸形状のためにその逆の回転は難しい。
【００３６】
本発明に係る直管蛍光灯照明装置は、結合部材２０，５０の凹凸部にベルトを掛け、該ベルトをモータ（図示せず）で回転させることによって結合部材２０，５０を回転させて、基板２４，５４の向きを調整することができる。このときモータとしては、ステップモータが好適である。
【００３７】
−実施例３−
図７は、実施例３に係るソケット６０の分解斜視図である。図８及び９は、それぞれ実施例３に係るソケットの表及び裏カバー４８，５７の構造を示し、図９は、端子係止部５３の構造を示す。
図７に示すように、ソケット６０は、ソケット表カバー４８を底部とし、ソケット裏カバー５７を断面Ｄ形状の筒部とする有底かつ断面Ｄ形状の筒形ケース４８及び５７を有する。
【００３８】
図９に示すように、ソケット裏カバー５７は、断面Ｄ形状の平面部分（図９（ａ）において図面上部）に電源接続部４０を有し、該電源接続部４０内に２つのピン端子４３，４３（図９（ｂ）参照）が、該平面部分に垂直、かつ外側に向かって立設されている。このような構造であるため、交換時に外部の導線と容易に接続できる。
また、断面Ｄ形状の平面部分以外の部分３か所に外付けの防水又は落下防止のための装置を取り付つける外付け固定フォーク部４２が設けられている。円形開口部（図示せず）の周辺には、円弧上に等間隔毎に断面円弧形の凹状部４１が５つソケット裏カバー５７に立設されている。
【００３９】
図７に戻って、凹状部４１に係合する凸部を外面に、円弧上に所定間隔毎に設けられた断面円弧形の５つの凹部５５ａを内面に有するガイド部材５５を挟んで、外周面に凸部４５を備える端子係止部５３がガイド部材５５の内面に凸部４５を当接して回転可能に配置されている。端子係止部５３は、絶縁蓋５１を介してスプリング４９をソケット表カバー４８に押圧して取り付けられる。
【００４０】
次に、図７ないし１０を参照しながら上記のような構成を有するソケット６０の使用方法について説明する。
逆富士型の照明灯具にソケット６０を取り付けて、ソケット裏カバー５７にある電源接続部４０にある導線オスピン（「ピン端子」に相当する）４３に、電源線のメスアダプタを押し込んで、ソケット６０を取り付ける。次に、下記のような直管蛍光灯の装着、取外を行う。
【００４１】
回転機能を持たない直管蛍光灯を装着するとき、直管蛍光灯の両端の口金にある端子を端子係止部５３のメス口４６（図１０参照）に差し込んでから押して、端子係止部５３の凸部４５とソケット表カバー４８の裏側に立設された槽４４が嵌合させ、スプリング４９を圧縮する。このことによって直管蛍光灯には付勢力が与えられる。次に、直管蛍光灯を回し、端子係止部５３の外周面に形成された凸部２５が、ガイド部材５５の内面に沿って回転し、その内面に形成された複数の凹部５５ａのいずれかと凸部４５が嵌合する。そして、その位置において直管蛍光灯の照射角度が定められる。
【００４２】
取り外すときは逆操作を行う。まず、直管蛍光灯を回して、初期の水平状態に戻って、端子係止部５３の凸部４５がソケット表カバー４８の裏側にある槽４４に嵌合している状態で、スプリング４９を圧縮し、直管蛍光灯を取り外す。
また、ソケット裏カバー５７にある外付け固定フォーク部４２に、外付けの防水アダプター、或いは外付けの落下防止装置を取り付ける。
【００４３】
以上本発明の実施の形態を説明したが、本発明は上記実施の形態に限定されるものではなく、特許請求の範囲、及び明細書と図面に記載された技術的思想の範囲内において種々の変形が可能である。例えば、Ｇ１３口金及びＲ１７ｄ口金を利用する場合、それぞれの特徴に併せて変更することは本発明の技術的思想の範囲内である。なお直接明細書及び図面に記載がない何れの形状や構造や材質であっても、本願発明の作用・効果を奏する以上、本願発明の技術的思想の範囲内である。
【産業上の利用可能性】
【００４４】
本発明に係る直管蛍光灯照明装置は、従来の直管蛍光灯と直接交換でき、例えばＬＥＤ照明の照明方向を変えることができる屋外用照明装置にとして有用である。
【符号の説明】
【００４５】
１０，４０  直管蛍光灯照明装置
１２，５２  口金部
１２ａ  端子
１２ｂ  円筒部
１２ｄ，２０ｄ  段差面
１４    シール押圧部材
１４ａ  ネジ
１８    管状部
１８ａ  第１の管状部
１８ｂ  第２の管状部
１８ｅ  穴
２０，５０  結合部材
２０ａ  ネジ部
２０ｂ  凹凸部
２０ｃ  管状部挿入部
２０ｅ  ネジ穴
２２    Оリング
２４，５４  基板
２６，３６，５６  係止部
２８，５８  係止受部
３２，６２  スペーサ
３４    ネジ
３７，３８    固定溝
４０    電源接続部
４１    掛止固定部
４２    外付け固定フォーク部
４３    ピン端子，導線オスピン
４４    槽
４５    凸部
４６    端子装着部
４７    強化支点
４８    ソケット表カバー
４９    スプリング
５１    絶縁蓋
５３    端子係止部
５５    ガイド部材
５７    ソケット裏カバー
６０    ソケット
【図１】
2013232334.tif 000003
【図２】
2013232334.tif 000004
【図３】
2013232334.tif 000005
【図４】
2013232334.tif 000006
【図５】
2013232334.tif 000007
【図６】
2013232334.tif 000008
【図７】
2013232334.tif 000009
【図８】
2013232334.tif 000010
【図９】
2013232334.tif 000011
【図１０】
2013232334.tif 000012